(57)【要約】【課題】自由自在に広告面を形成することが可能な広告用扇の提供。【解決手段】所定形状にそれぞれ独立して形成され、それぞれ広告が掲載された複数の広告シート４と、広告シート４がそれぞれ天端側の一部に貼り付けられ、互いに重ね合わされて要部３により軸止される複数の扇骨５と、扇骨５を開いたときの扇骨５間の角度を拘束するため、各扇骨５の要部３近傍に形成された凹凸部とから構成される広告用扇１であり、扇面を構成する複数の広告シート４を、扇骨５の開閉とは無関係に任意の形状に形成することができるので、自由自在に広告面を形成することが可能となる。【選択図】  図１
2006263097.tif 000002
【特許請求の範囲】
【請求項１】
所定形状にそれぞれ独立して形成され、それぞれ広告が掲載された複数の広告シートと、
同広告シートがそれぞれ天端側の一部に貼り付けられ、互いに重ね合わされて要部により軸止される複数の扇骨と、
同扇骨を開いたときの扇骨間の角度を拘束するため、各扇骨の要部近傍に形成された凹凸部と
から構成される広告用扇。
【請求項２】
前記広告は、前記広告シートの全面に掲載されたものである請求項１記載の広告用扇。
【発明の詳細な説明】
【技術分野】
【０００１】
本発明は、扇面に広告を掲載した広告用扇に関する。
【背景技術】
【０００２】
祭その他のイベントにおいて配付される団扇の扇面には、そのスポンサーである企業の広告が掲載されていることが多い。また、例えば特許文献１には、把手の先端部に任意の送風ボードが取り付けられた団扇であって、その送風ボードの取付部または送風ボードの適所に１ないし複数の補助ボードが回動自在に軸止され、その送風ボードおよび補助ボードの表面に文字、広告等の広告面が設けられた折り畳み可能な団扇が開示されている。この他、折り畳み可能な団扇としては、特許文献２，３に記載のものが知られている。
【０００３】
【特許文献１】実用新案登録第３０６２９６０号公報
【特許文献２】特開平７−２２７３１０号公報
【特許文献３】特開平１０−９４４１１号公報
【発明の開示】
【発明が解決しようとする課題】
【０００４】
特許文献１に記載の団扇の場合、送風ボードが扇面を構成しているが、この扇面に直接補助ボードを軸止して回動自在にしているので、各扇面の多くの部分が重なり合っている。そのため、各扇面に広告を掲載しても全面を広告として使用できるのは最も外側の扇面だけであり、重なり合ったときに内側となる扇面は、団扇を広げても一部しか露出せず、掲載できる広告に制約が大きい。
【０００５】
また、特許文献２，３に記載の折り畳み可能な団扇についても、同様に各扇面で直接軸止して回動自在にしていることに加え、団扇を広げたときの形状を拘束するために各扇面の天端部分を係合しているので、各扇面に自由に広告を掲載することができず、自由度が低い。
【０００６】
そこで、本発明においては、自由自在に広告面を形成することが可能な広告用扇を提供することを目的とする。
【課題を解決するための手段】
【０００７】
本発明の広告用扇は、所定形状にそれぞれ独立して形成され、それぞれ広告が掲載された複数の広告シートと、広告シートがそれぞれ天端側の一部に貼り付けられ、互いに重ね合わされて要部により軸止される複数の扇骨と、扇骨を開いたときの扇骨間の角度を拘束するため、各扇骨の要部近傍に形成された凹凸部とから構成されるものである。
【０００８】
本発明の広告用扇では、扇面を構成する複数の広告シートがそれぞれ独立して形成されており、各広告シートの広告掲載面は扇骨の開閉に全く影響を及ぼさず、また全く影響を受けないため、任意の形状に形成することが可能である。また、扇骨を開いたときの扇骨間の角度は、各扇骨の要部近傍に形成された凹凸部が互いに係わり合うことにより拘束されるので、この凹凸部の配置により広げたときの扇の形状が決定される。
【発明の効果】
【０００９】
本発明の広告用扇によれば、扇面を構成する複数の広告シートを、扇骨の開閉とは無関係に任意の形状に形成することができるので、自由自在に広告面を形成することが可能となる。
【発明を実施するための最良の形態】
【００１０】
図１は本発明の実施の形態における広告用扇の正面図、図２は図１の広告用扇の要（かなめ）部の拡大斜視図である。図３は図１の広告用扇を構成する扇骨部品を示す図であって、（ａ）は裏面図、（ｂ）は側面図、（ｃ）は正面図である。図４は図３の扇骨部品の要部を拡大した斜視図であって、（ａ）は正面側からみた斜視図、（ｂ）は裏面側からみた斜視図である。
【００１１】
図１において、本発明の実施の形態における広告用扇１は、図３に示す扇骨部品２を複数本重ね合わせ、要部３にて軸止したものである。扇骨部品２は、図３に示すように、広告シート４と、扇骨５とから構成されている。各広告シート４は、図１の重ね合わせ状態において、他の広告シート４とは独立している。
【００１２】
広告シート４は、所定形状に形成されたシートであり、扇骨５を挟み込むように扇骨５の天端（図３の上端）側の一部の表裏面側にそれぞれ貼り付けられている。この広告シート４は、図１に示すように扇骨５を開いたときに扇面を形成する。各広告シート４には、それぞれの全面に広告となる写真、図柄や文字等が掲載され、図１に示すように扇骨５を開いた状態で統一的な広告を形成する。
【００１３】
扇骨５は、棒状の細長い板材である。各扇骨５の要部３近傍には、扇骨５を開いたときの扇骨５間の角度を拘束するため、凹凸部６が形成されている。凹凸部６は、扇骨５の板面から突出させた凸部６ａと、この扇骨５に組み合わされる一方の扇骨５の凸部６ａと関わり合う凹部６ｂとから構成される。なお、この例では、図４に示すように、凹部６ｂは扇骨５に形成された扇状の切欠きにより構成されており、凸部６ａはこの凹部６ｂの一端面に形成された板状体により構成されている。また、要部３の中心には、貫通孔７が形成されている。
【００１４】
広告用扇１は、上記構成の扇骨部品２を複数本重ね合わせ、要部３の貫通孔７を利用して軸止することにより完成する。このとき、図２に示すように、各扇骨５の凹凸部６の凸部６ａは、隣接する扇骨５の凹凸部６の凹部６ｂに係わり合っている。これにより、凸部６ａは、凹部６ｂの空間内でのみ移動するので、隣り合う扇骨５同士により形成される角度が拘束される。なお、この例では、この角度は１８度に設定されている。
【００１５】
上記構成の広告用扇１では、扇面を構成する複数の広告シート４がそれぞれ独立して形成されているので、各広告シート４の広告掲載面は扇骨５の開閉に全く影響を及ぼさず、また全く影響を受けない。したがって、この広告用扇１では、扇面を構成する複数の広告シート４を任意の形状に形成し、その全面に広告を掲載することができるので、自由自在に広告面を形成して広告効果の高い広告を行うことが可能となる。
【００１６】
また、この広告用扇１では、扇骨５を開いたときの扇骨５間の角度が、各扇骨５の要部３近傍に形成された凹凸部６が互いに係わり合うことにより拘束されるので、この凹凸部６の配置により広げたときの扇の形状が決定される。このことからも、各広告シート４の形状は任意に決めることができるといえるが、扇骨５の開閉を容易にするため、扇骨５を開いたときに互いにごく一部が重なり合う形状とすることが望ましい。
【００１７】
次に、扇骨５に形成される凹凸部６の別の例について説明する。図５は凹凸部の別の実施形態を示す扇骨部品の要部を拡大した図であって、（ａ）は正面側からみた斜視図、（ｂ）は裏面側からみた斜視図、（ｃ）は（ａ）のＡ−Ａ線断面図である。
【００１８】
図５に示す例では、凹凸部８は、扇骨５の板面から突出させた円柱状の凸部８ａと、この凸部８ａを貫通孔７を中心として所定角度移動させたときに描かれる軌跡により形成される形状の凹部８ｂとから構成されている。なお、凹部８ｂは、実際には、凸部８ａと組み合わされたときに若干のクリアランスを保って摺動することができるように凸部８ａの軌跡よりも大きめに形成されている。
【００１９】
このような形状の凹凸部８であっても、前述と同様に各扇骨５の凹凸部８の凸部８ａは、隣接する扇骨５の凹凸部８の凹部８ｂに係わり合い、凹部８ｂの空間内でのみ移動するので、隣り合う扇骨５同士により形成される角度が拘束される。
【００２０】
図６は凹凸部のさらに別の実施形態を示す扇骨部品の要部を拡大した図であって、（ａ）は正面側からみた斜視図、（ｂ）は裏面側からみた斜視図、（ｃ）は最も外側に配置される扇骨の斜視図である。
【００２１】
図６に示す例では、凹凸部９ａ，９ｂは、扇骨１０の要部３近傍に斜め方向に形成された段差により構成されている。この凹凸部９ａ，９ｂは、扇骨１０の表裏面で凹部と凸部が逆の配置となっており、かつその境界面同士が所定角度ずらして形成されている。このような形状の凹凸部９ａ，９ｂであっても、各扇骨１０の凹凸部９ａ，９ｂは、隣接する扇骨１０の凹凸部９ｂ，９ａにそれぞれ係わり合う範囲内（上述の所定角度ずらした範囲内）でのみ移動するので、隣り合う扇骨１０同士により形成される角度が拘束される。
【００２２】
なお、上記の各扇骨１０は凹凸部９ａ，９ｂを含めてすべて同じ形状のものとすることができる。これにより、この扇骨１０を成型する金型を一つの形状としてコストダウンすることが可能である。また、各扇骨１０をそれぞれ重ね合わせたときに最も外側となる扇骨１１は、図６の（ｃ）に示すように、その内側に配置される凹凸部９ａのみ形成し、その外側に配置される凹凸部は省略することも可能である。これにより、最も外側で露出する部分の見栄えを良くすることができる。前述の図１〜図５の場合も同様である。
【産業上の利用可能性】
【００２３】
本発明の広告用扇は、広告を掲載するための扇として有用である。特に、本発明の広告用扇は、自由自在に広告面を形成することができ、広告効果の高い広告用扇として好適である。
【図面の簡単な説明】
【００２４】
【図１】本発明の実施の形態における広告用扇の正面図である。
【図２】図１の広告用扇の要部の拡大斜視図である。
【図３】図１の広告用扇を構成する扇骨部品を示す図であって、（ａ）は裏面図、（ｂ）は側面図、（ｃ）は正面図である。
【図４】図３の扇骨部品の要部を拡大した斜視図であって、（ａ）は正面側からみた斜視図、（ｂ）は裏面側からみた斜視図である。
【図５】凹凸部の別の実施形態を示す扇骨部品の要部を拡大した図であって、（ａ）は正面側からみた斜視図、（ｂ）は裏面側からみた斜視図、（ｃ）は（ａ）のＡ−Ａ線断面図である。
【図６】凹凸部のさらに別の実施形態を示す扇骨部品の要部を拡大した図であって、（ａ）は正面側からみた斜視図、（ｂ）は裏面側からみた斜視図、（ｃ）は最も外側に配置される扇骨の斜視図である。
【符号の説明】
【００２５】
１  広告用扇
２  扇骨部品
３  要部
４  広告シート
５，１０  扇骨
６，８，９ａ，９ｂ  凹凸部
６ａ，８ａ  凸部
６ｂ，８ｂ  凹部
７  貫通孔
【図１】
2006263097.tif 000003
【図２】
2006263097.tif 000004
【図３】
2006263097.tif 000005
【図４】
2006263097.tif 000006
【図５】
2006263097.tif 000007
【図６】
2006263097.tif 000008